(57)【要約】【課題】装飾板全体が立体的に見えることで遊技機用電飾装置を斬新な見栄えにすることを、低コストで実現する。【解決手段】光源１５と、光源１５の光を透過させるレンズ（装飾板）１２と、レンズ１２に施された複数本の線状溝１２ｂ，１２ｃとを備え、線状溝１２ｂ，１２ｃを、球面投影法、透視投影法、直軸測投影法及び／又は斜軸測投影法に基づいて表された形状に形成する。このように、上記各種投影法に基づいて線状溝１２ｂ，１２ｃを形成することで、レンズ１２表示部１２Ａの全体が立体的に見えることとなる。よって、レンズ１２を奥行きの大きい形状にすることなく低コストで、電飾装置１０を斬新な見栄えにすることができる。【選択図】        図２
2005131070.tif 000002
【特許請求の範囲】
【請求項１】
光源と、
前記光源の光を透過させる透光性の装飾板と、
前記装飾板に施された複数本の線状溝とを備え、
前記線状溝は、球面投影法、透視投影法、直軸測投影法及び／又は斜軸測投影法に基づいて表された形状であることを特徴とする遊技機用電飾装置。
【請求項２】
前記装飾板の表面には、光の透過を遮断する遮光部材が備えられ、
前記装飾板は、前記遮光部材の開口部から臨まれるように配置され、
前記装飾板のうち前記開口部の内側に位置する表示部が前記開口部を輪郭線とした仮想立体物として視認されるように、前記線状溝を形成したことを特徴とする請求項１に記載の遊技機用電飾装置。
【発明の詳細な説明】
【技術分野】
【０００１】
本発明は、パチンコ、スロットルその他の遊技機に備えられた、遊技機用電飾装置に関するものである。
【背景技術】
【０００２】
従来、この種の遊技機用電飾装置は、特許文献１等にて記載されているように、光源を透光性の装飾板で覆って構成されている。そして、特許文献１には記載されていないが、ダイヤカット、ローレットカット、ディンプルカット等の溝を前記装飾板に施すことで、電飾装置の装飾性を高めるようにするのが一般的である。
【０００３】
【特許文献１】特開２００３−１８１１１５号公報
【発明の開示】
【発明が解決しようとする課題】
【０００４】
しかしながら、装飾板に施された溝を、単純にダイヤカット、ローレットカット、ディンプルカット等の形状にするだけでは、装飾板全体を立体的に視認させるには至らず、電飾装置の装飾性を高めて斬新な見栄えにするのに限界がある。因みに、奥行きの大きな立体的な形状に装飾板を形成しようとすると、装飾板の設計費および金型製作費が高くなってしまう。
【０００５】
本発明は、上記点に鑑み、装飾板全体が立体的に見えることで遊技機用電飾装置を斬新な見栄えにすることを、低コストで実現することを目的とする。
【課題を解決するための手段】
【０００６】
上記目的を達成するため、請求項１に記載の発明では、光源と、前記光源の光を透過させる透光性の装飾板と、前記装飾板に施された複数本の線状溝とを備え、前記線状溝は、球面投影法、透視投影法、直軸測投影法及び／又は斜軸測投影法に基づいて表された形状であることを特徴とする。
【０００７】
なお、上記各種の投影法は、「サイエンスライブラリ工学基礎１  工学基礎  図学と製図」（出版社：サイエンス社）（著者：磯田浩、鈴木賢次郎、相沢龍彦）等の文献にて記載された図法であり、「球面投影法」とは、ステレオ投影法とも呼ばれ、球面の上のみに散布した点を適当な平面（たまに球面の場合もある）に投影するための方法である。また、「直軸測投影法」とは、１枚の投影面とこれに直交する平行光線を使用し、１つの投影図のみで立体を表現する投影図法である。また、「斜軸測投影法」とは、１枚の投影面とこれに斜交する平行光線を使用し、１つの投影図のみで立体を表現する投影図法である。また、「透視投影法」とは、適当な有限位置に光源のある放射光線で、任意の位置及び方向を持つ１枚の投影面に、対象の立体を投影した図で表現する投影図法である。
【０００８】
請求項２に記載の発明では、前記装飾板の表面には、光の透過を遮断する遮光部材が備えられ、前記装飾板は、前記遮光部材の開口部から臨まれるように配置され、前記装飾板のうち前記開口部の内側に位置する表示部が前記開口部を輪郭線とした仮想立体物として視認されるように、前記線状溝を形成したことを特徴とする。
【発明の効果】
【０００９】
請求項１に記載の発明によれば、透視投影法、直軸測投影法、斜軸測投影法及び／又は球面投影法に基づいて表された形状の線状溝によって、装飾板全体が立体的に見えることとなる。よって、装飾板を奥行きの大きい形状にすることなく低コストで、電飾装置を斬新な見栄えにすることができる。
【００１０】
請求項２に記載の発明の如く、装飾板の表示部が、遮光部材の開口部を輪郭線とした仮想立体物として視認されるようにすれば、電飾装置をより一層斬新な見栄えにでき、好適である。
【発明を実施するための最良の形態】
【００１１】
以下、本発明の各実施形態を図に基づいて説明する。尚、本発明の実施の形態は、下記の各実施形態に何ら限定されるものではなく、本発明の技術的範囲に属する限り種々の形態を採り得ることは無論である。
【００１２】
（第１実施形態）
本実施形態では、弾球遊技機の遊技盤に備えられた電飾装置に本発明を適用させた一例であり、図１に示す通り、該弾球遊技機１は、前面枠２、機枠３、操作ハンドル４、上皿５、下皿６、遊技盤７、板ガラス８、表示装置９、電飾装置１０等から構成される。表示装置９は、遊技盤７の中央に配置されて３つの特別図柄を変動表示させる特別図柄表示装置を構成し、電飾装置１０は、遊技盤７のうち表示装置９周りに配置され、遊技内容に応じて電飾表示態様を変化させることで、遊技者の趣興を高めるものである。図１に示す例では、表示装置９の左右両側に電飾装置１０を配置している。
【００１３】
図２は電飾装置１０単体を示す斜視図、図３は図２の分解斜視図であり、これらの図２，３に示すように、電飾装置１０は、本体ケース１１、レンズ１２、リフレクタ１３、プリント基板１４、光源１５および基板カバー１６等から構成されている。そして、本体ケース１１の裏面に、レンズ１２、リフレクタ１３、プリント基板１４および基板カバー１６を順に組み付けることで電飾装置１０は組み立てられる。なお、レンズ１２が特許請求の範囲に記載の装飾板に相当し、本体ケース１１が特許請求の範囲に記載の遮光部材に相当する。
【００１４】
本体ケース１１には円形の開口部１１ａが形成されており、レンズ１２の表面１２Ｆは本体ケース１１の開口部１１ａから臨まれるように配置される。レンズ１２の形状は後に詳述する。リフレクタ１３はレンズ１２の裏面１２Ｒ全体を覆うように配置される。リフレクタ１３のうちレンズ１２の中心に対向する部分には開口部１３ａが形成されており、プリント基板１４に実装された光源１５は、開口部１３ａに挿入配置される。
【００１５】
また、基板カバー１６は、プリント基板１４の裏面全体を覆うように配置され、本体ケース１１のボス部１１ｂに図示しないビスにより締結されている。これにより、基板カバー１６と本体ケース１１との間に、レンズ１２、リフレクタ１３およびプリント基板１４は挟持される。そして、このように組み立てられた電飾装置１０は、本体ケース１１のネジ挿入穴１１ｃにて図示しないネジによって遊技盤７に組み付けられている。
【００１６】
次に、電飾装置１０の各構成部品１１，１２，１３，１４，１５，１６単体について説明する。本体ケース１１は合成樹脂製であり、本体ケース１１のうち少なくとも開口部１１ａの周縁部分は、光の透過を遮断する遮光部材として機能する。そして、レンズ１２のうち本体ケース１１の開口部１１ａの内側に位置する領域の部分が遊技者に視認され得る部分となり、この部分が特許請求の範囲に記載の表示部１２Ａ（図６参照）に相当する。従って、表示部１０Ａの輪郭線Ｌ１（図２参照）は、本体ケース１１の開口部１１ａ形状により決定されることとなる。
【００１７】
また、本体ケース１１には通路１１ｄが合成樹脂にて一体に形成されている。遊技盤７上を流れる遊技球は、通路１１ｄの入口１１ｅに入ると、出口１１ｆに接続された図示しない通路によって遊技盤７の裏面に取り込まれる。そして、遊技球が通路１１ｄを通過したことを検出すると、所定数の賞球が払い出されるように構成されている。
【００１８】
光源１５は、プリント基板１４とリード線で接続された図示しないランプ制御基板により、遊技内容に応じて駆動制御されるように構成されている。なお、本実施形態では光源１５に発光ダイオードを採用している。発光ダイオード１５には、異なる色に発光する複数種の発光素子を備えたものを採用してもよく、また、発光輝度を段階的に調節可能なものを採用してもよい。
【００１９】
リフレクタ１３は合成樹脂にて椀形状に形成されており、内面に施されたメッキにより反射面１３ｂが形成されている。光源１５の光は反射面１３ｂにて反射して、レンズ１２に集められる。本実施形態では、反射面１３ｂの形状を、複数の平らな面を集合させてなる形状に形成している。
【００２０】
図４，５，６はレンズ１２単体を示す図であり、図４はレンズ１２の裏面１２Ｒ（リフレクタ１３側の面）を示す背面図、図５はレンズ１２の表面１２Ｆを示す正面図、図６は図４のＡ−Ａ断面図である。これらの図４〜６に示すように、レンズ１２は、合成樹脂にて略円形に形成された透光性の板部材である。そして、レンズ１２の表面１２Ｆは凸レンズ状に湾曲し、裏面１２Ｒには複数本の線状溝１２ｂ，１２ｃが形成されている。
【００２１】
線状溝１２ｂと線状溝１２ｃとは略直交する方向に延びており、これらの線状溝１２ｂ，１２ｃは球面投影法に基づいて表された形状である。そして、レンズ１２の表示部１２Ａが開口部１１ａを輪郭線Ｌ１とした球状の仮想立体物として視認されるように、線状溝１２ｂ，１２ｃは形成されている。
【００２２】
また、図６に示すように、レンズ１２のうち複数本の線状溝１２ｂ，１２ｃによって囲まれた部分１２ｄは、該囲まれた部分１２ｄの中心に向かって凸となるレンズ状に形成されている。換言すれば、レンズ１２裏面１２Ｒは、線状溝１２ｂ，１２ｃを谷間とした複数の凸レンズ部１２ｄを集合させて構成されている。なお、本実施形態では、複数の凸レンズ部１２ｄの突出高さ（光軸方向の高さ）は、全て同一の高さに形成されている。
【００２３】
以上により、本実施形態によれば、レンズ１２に形成された複数本の線状溝１２ｂ，１２ｃを球面投影法に基づいて表された形状に形成しているので、レンズ１２の表示部１２Ａ全体が、開口部１１ａを輪郭線Ｌ１とした球状の仮想立体物として立体的に視認されることとなる。よって、レンズ１２を奥行きの大きい形状にすることなく低コストで、電飾装置１０を斬新な見栄えにすることができる。
【００２４】
また、本実施形態によれば、レンズ１２の表面１２Ｆは凸レンズ状に湾曲しているので、レンズ１２の表示部１２Ａの奥行き感を大きくすることができ、より一層立体的に視認されることとなる。
【００２５】
また、レンズ１２裏面１２Ｒは、線状溝１２ｂ，１２ｃを谷間とした複数の凸レンズ部１２ｄを集合させて構成されているので、仮想立体物の表面に立体的な複数の凹凸が形成されているように視認されることとなり、装飾装置１０をより一層斬新な見栄えにできる。
【００２６】
（第２実施形態）
上記第１実施形態では、複数本の線状溝１２ｂ，１２ｃを略直交する２方向（図４の左右方向と上下方向）に延びるように形成しているのに対し、本実施形態では図７に示すように、線状溝１２ｃを廃止して、複数本の線状溝１１２ｂを１方向（図７の上下方向）に延びるように形成している。なお、図７は本実施形態に係る電飾装置１１０を遊技者側（表側）から見た正面図であり、第１実施形態の構成要素に対応する本実施形態の構成要素の説明は、図中の符号を１００番台として説明を援用する。
【００２７】
また、本実施形態では、レンズ１１２のうち複数本の線状溝１１２ｂと輪郭線Ｌ１（開口部１１１ａ）によって囲まれた部分１１２ｄが、該囲まれた部分１１２ｄの中心に向かって凸となるレンズ状に形成されている。換言すれば、レンズ１１２裏面は、線状溝１１２ｂを谷間とした複数の細長状凸レンズ部１１２ｄを集合させて構成されている。なお、本実施形態では、複数の凸レンズ部１１２ｄの突出高さ（光軸方向の高さ）は、全て同一の高さに形成されている。
【００２８】
本実施形態のように、線状溝１２ｃを廃止して、複数本の線状溝１１２ｂを１方向に延びるように形成しても、該線状溝１１２ｂを球面投影法に基づいて表された形状にすれば、レンズ１１２の表示部全体が、本体ケース１１１の開口部１１１ａを輪郭線Ｌ１とした球状の仮想立体物として立体的に視認されることとなり、第１実施形態と同様の効果を発揮できる。
【００２９】
（第３実施形態）
上記第１および第２実施形態では、複数本の線状溝１２ｂ，１２ｃを球面投影法に基づいて表された形状にしているのに対し、本実施形態では図８に示すように、複数本の線状溝２１２ｂ，２１２ｃ，２１２ｅを直軸測投影法に基づいて表された形状にしている。なお、図８は本実施形態に係る電飾装置２１０を遊技者側（表側）から見た正面図であり、第１実施形態の構成要素に対応する本実施形態の構成要素の説明は、図中の符号を２００番台として説明を援用する。
【００３０】
また、本実施形態では、仮想立体物を立方体（図８の例では６面体）としており、本体ケース２１１の開口部２１１ａは多角形（図８の例では６角形）に形成され、レンズ２１２の形状も開口部２１１ａの形状に対応した形状に形成されている。
【００３１】
上記構成の本実施形態によれば、複数本の線状溝２１２ｂ，２１２ｃ，２１２ｅを直軸測投影法に基づいて表された形状に形成されているので、レンズ２１２の表示部全体が、本体ケース２１１の開口部２１１ａを輪郭線Ｌ１とした立方体形状の仮想立体物として立体的に視認されることとなり、第１実施形態と同様の効果を発揮できる。
【００３２】
（第４実施形態）
本実施形態では図９に示すように、複数本の線状溝３１２ｂ，３１２ｃ，３１２ｅを斜軸測投影法に基づいて表された形状にしている。なお、図９は本実施形態に係る電飾装置３１０を遊技者側（表側）から見た正面図であり、第１実施形態の構成要素に対応する本実施形態の構成要素の説明は、図中の符号を３００番台として説明を援用する。
【００３３】
また、本実施形態では、仮想立体物を立方体（図９の例では６面体）としており、本体ケース３１１の開口部３１１ａは多角形（図９の例では６角形）に形成され、レンズ３１２の形状も開口部３１１ａの形状に対応した形状に形成されている。
【００３４】
上記構成の本実施形態によれば、複数本の線状溝３１２ｂ，３１２ｃ，３１２ｅを斜軸測投影法に基づいて表された形状に形成されているので、レンズ３１２の表示部全体が、本体ケース３１１の開口部３１１ａを輪郭線Ｌ１とした立方体形状の仮想立体物として立体的に視認されることとなり、第１実施形態と同様の効果を発揮できる。
【００３５】
（第５実施形態）
本実施形態では図１０に示すように、複数本の線状溝４１２ｂ，４１２ｃ，４１２ｅを透視投影法に基づいて表された形状にしている。なお、図１０は本実施形態に係る電飾装置４１０を遊技者側（表側）から見た正面図であり、第１実施形態の構成要素に対応する本実施形態の構成要素の説明は、図中の符号を４００番台として説明を援用する。
【００３６】
また、本実施形態では、仮想立体物を立方体（図１０の例では６面体）としており、本体ケース４１１の開口部４１１ａは多角形（図１０の例では６角形）に形成され、レンズ４１２の形状も開口部４１１ａの形状に対応した形状に形成されている。
【００３７】
上記構成の本実施形態によれば、複数本の線状溝４１２ｂ，４１２ｃ，４１２ｅを透視投影法に基づいて表された形状に形成されているので、レンズ４１２の表示部全体が、本体ケース４１１の開口部４１１ａを輪郭線Ｌ１とした立方体形状の仮想立体物として立体的に視認されることとなり、第１実施形態と同様の効果を発揮できる。
【００３８】
なお、図１０に示す例では、複数本の線状溝４１２ｂ，４１２ｃ，４１２ｅが１点に向かって延びるように形成された1点透視投影法を採用しているが、本実施形態の変形例として、複数本の線状溝４１２ｂ，４１２ｃ，４１２ｅを、第一点に向かって延びる線状溝と第二点に向かって延びる線状溝とを組み合わせて構成した２点透視投影法を採用してもよい。
【００３９】
（他の実施形態）
上記第１〜第５実施形態では、レンズ１２の裏面１２Ｒに線状溝１２ｂ，１２ｃを形成しているが、本発明の実施にあたり、レンズ１２の表面１２Ｆに線状溝１２ｂ，１２ｃを形成し、裏面１２Ｒを凸レンズ上に湾曲させるようにしてもよい。また、レンズ１２の表面１２Ｆまたは裏面１２Ｒを凸レンズ上に湾曲させることは廃止してもよく、平らな形状であっても構わない。
【００４０】
また、上記第１〜第５実施形態では、遊技盤７に配置された電飾装置１０に本発明の電飾表示装置を適用させているが、本発明の電飾装置１０は遊技盤７への配置に限られるものではなく、例えば、前面枠２、機枠３等に配置されたものであっても適用できる。さらに、本発明の電飾装置１０は、弾球遊技機への適用に限らず、スロットル機その他の遊技機にも適用できるものである。
【００４１】
また、上記第１〜第５実施形態では電飾装置１０の光源１５に発光ダイオード（ＬＥＤ）を採用しているが、本発明の実施にあたり、液晶表示装置（ＬＣＤ）、エレクトロルミネッセンス表示装置（ＥＬ）、バルブ等を採用してもよい。
【図面の簡単な説明】
【００４２】
【図１】本発明の第１実施形態に係る弾球遊技機の正面図である。
【図２】第１実施形態に係る電飾装置１０単体を示す斜視図である。
【図３】図２の分解斜視図である。
【図４】第１実施形態に係るレンズ１２単体を示す背面図である。
【図５】第１実施形態に係るレンズ１２単体を示す正面図である。
【図６】図４のＡ−Ａ断面図である。
【図７】本発明の第２実施形態に係る電飾装置１１０のレンズ１１２部分を示す、正面図である。
【図８】本発明の第３実施形態に係る電飾装置２１０のレンズ２１２部分を示す、正面図である。
【図９】本発明の第４実施形態に係る電飾装置３１０のレンズ３１２部分を示す、正面図である。
【図１０】本発明の第５実施形態に係る電飾装置４１０のレンズ４１２部分を示す、正面図である。
【符号の説明】
【００４３】
１…弾球遊技機    ７…遊技盤    ９…表示装置    １０，１１０，２１０，３１０，４１０…電飾装置    １１…本体ケース（遮光部材）  １１ａ…本体ケースの開口部    １２…レンズ（装飾板）    １２ｂ，１２ｃ…線状溝    １２d…凸レンズ部    １２Ｆ…レンズの表面    １２Ｒ…レンズの裏面
【図１】
2005131070.tif 000003
【図２】
2005131070.tif 000004
【図３】
2005131070.tif 000005
【図４】
2005131070.tif 000006
【図５】
2005131070.tif 000007
【図６】
2005131070.tif 000008
【図７】
2005131070.tif 000009
【図８】
2005131070.tif 000010
【図９】
2005131070.tif 000011
【図１０】
2005131070.tif 000012